(57)【要約】【課題】モアレが視認されることを抑えることのできる導電性フィルム、タッチパネル、および、表示装置を提供する。【解決手段】センシング格子３３ＳＬとドライブ格子３１ＤＬとは、これらの組み合わせによって新たな四角格子を構成し、かつ、センシング格子３３ＳＬの格子点３３ＳＸは、ドライブ格子３１ＤＬの格子内に位置する。第１面と対向する方向から見て、センシング格子３３ＳＬの電極線とドライブ格子３１ＤＬの電極線とが交差する交差部ごとに、１つの疑似膨大部３３ＳＤが配置され、疑似膨大部３３ＳＤは、センシング格子３３ＳＬにおいて互いに隣り合う２つの格子点３３ＳＸであって交差部を挟む格子点３３ＳＸ間を結ぶ電極線、および、ドライブ格子３１ＤＬにおいて互いに隣り合う２つの格子点３１ＤＸであって交差部を挟む格子点３１ＤＸ間を結ぶ電極線に連続している。【選択図】図７
2018081486.tif 000002
【特許請求の範囲】
【請求項１】
タッチパネルに備えられる導電性フィルムであって、
第１面と、前記第１面とは反対側の面である第２面とを有する透明誘電体層と、
前記第１面に位置する第１導電性パターンであって、複数の電極線から構成される四角格子である第１格子と、前記第１格子の格子点に位置する膨大部とを含む前記第１導電性パターンと、
前記第２面に位置する第２導電性パターンであって、複数の電極線から構成される四角格子である第２格子と、前記第２格子の格子点に位置する膨大部とを含む前記第２導電性パターンと、を備え、
前記第１導電性パターンおよび前記第２導電性パターンの少なくとも一方は、点状の疑似膨大部を含み、
前記第１面と対向する方向から見て、前記第１格子と前記第２格子とは、これらの組み合わせによって新たな四角格子を構成し、かつ、前記第１格子の格子点は、前記第２格子の格子内に位置し、
前記第１面と対向する方向から見て、前記第１格子の電極線と前記第２格子の電極線とが交差する交差部ごとに、１つの前記疑似膨大部が配置され、前記疑似膨大部は、前記第１格子において互いに隣り合う２つの格子点であって前記交差部を挟む格子点間を結ぶ電極線、および、前記第２格子において互いに隣り合う２つの格子点であって前記交差部を挟む格子点間を結ぶ電極線に連続している
導電性フィルム。
【請求項２】
前記第１面と対向する方向から見て、前記疑似膨大部は前記交差部を囲んでいる
請求項１に記載の導電性フィルム。
【請求項３】
前記第１導電性パターンおよび前記第２導電性パターンのうち、前記疑似膨大部を含む導電性パターンが対象導電性パターンであり、前記第１導電性パターンが前記対象導電性パターンであるときの前記第１格子、および、前記第２導電性パターンが前記対象導電性パターンであるときの前記第２格子の各々が対象格子であり、
前記疑似膨大部は、前記対象格子の格子上において互いに隣り合う格子点間の中点を囲む位置に配置されている
請求項１または２に記載の導電性フィルム。
【請求項４】
前記第１導電性パターンおよび前記第２導電性パターンのうちの一方に、すべての前記疑似膨大部が含まれる
請求項１〜３のいずれか一項に記載の導電性フィルム。
【請求項５】
複数の前記疑似膨大部の一部が、前記第１導電性パターンに含まれ、複数の前記疑似膨大部の残部が前記第２導電性パターンに含まれる
請求項１〜３のいずれか一項に記載の導電性フィルム。
【請求項６】
前記第１導電性パターンおよび前記第２導電性パターンの各々において、複数の前記疑似膨大部は規則的に並んでいる
請求項５に記載の導電性フィルム。
【請求項７】
前記第１導電性パターンおよび前記第２導電性パターンの各々において、複数の前記疑似膨大部は不規則に並んでいる
請求項５に記載の導電性フィルム。
【請求項８】
請求項１〜７のいずれか一項に記載の導電性フィルムと、
前記導電性フィルムを覆うカバー層と、
前記第１導電性パターンが含む電極と前記第２導電性パターンが含む電極との間の静電容量を測定する周辺回路と、を備える
タッチパネル。
【請求項９】
格子状に配置された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項８に記載のタッチパネルである
表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
タッチパネルを入力デバイスとして用いる表示装置は、画像を表示する表示パネルと、表示パネルに重ねられた上記タッチパネルとを備えている。タッチパネルにおける指などの接触位置の検出方式としては、指などがタッチパネルの操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向と直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されて、操作面における指などの接触位置が検出される。
【０００３】
こうした導電性フィルムの一例では、第１電極と第２電極との各々は、銀や銅などの金属からなる細線状の複数の電極線から構成される（例えば、特許文献１参照）。電極線の材料として金属が用いられることによって、接触位置の検出に際しての迅速な応答性や高い分解能が得られるとともに、タッチパネルの大型化や製造コストの削減が可能となる。
【０００４】
ところで、可視光を吸収、あるいは、反射する金属から電極線が形成される構成では、タッチパネルの操作面から見て、複数の第１電極と複数の第２電極とが、これらを構成する電極線が相互に交差したパターンである電極線パターンを形成している。一方で、タッチパネルが積層される表示パネルでも、第１方向と第２方向とに沿って複数の画素を区画するブラックマトリクスが、格子状のパターンである画素パターンを形成している。
【０００５】
この際に、タッチパネルの操作面から見て、電極線パターンが有する周期構造と、画素パターンが有する周期構造とが重なることによって、２つの周期構造のずれが、モアレ（ｍｏｉｒｅ）を誘起する場合がある。モアレが視認されると、表示装置にて視認される画像の品質の低下が生じる。そのため、電極線パターンの形状や周期は、電極線パターンと画素パターンとを重ね合わせたときにモアレが視認されにくい形状や周期に設定されている。
【先行技術文献】
【特許文献】
【０００６】
【特許文献１】特開２０１３−１５６７２５号公報
【発明の概要】
【発明が解決しようとする課題】
【０００７】
電極線パターンの一例は、格子状のパターンである。例えば、第１電極を構成する複数の第１電極線が１つの格子模様を形成し、第２電極を構成する複数の第２電極線もまた、１つの格子模様を形成する。そして、電極線パターンとして、第１電極線が形成する格子模様、および、第２電極線が形成する格子模様の各々よりも周期の小さい格子模様が形成される。
【０００８】
図１６（ａ）は、複数の第１電極線からなるパターンである第１パターンの一例を示す図である。複数の第１電極線１１０には、第１方向Ｄａに沿って延びる複数の第１電極線１１０ａと、第２方向Ｄｂに沿って延びる複数の第１電極線１１０ｂとが含まれる。第１電極線１１０ａと第１電極線１１０ｂとは相互に直交し、複数の第１電極線１１０ａと複数の第１電極線１１０ｂとが相互に交差することによって、格子状のパターンが形成されている。
【０００９】
ここで、電極線の製造に際しては、第１電極線１１０ａと第１電極線１１０ｂとが交差する角部が直角に屈曲するように、角部を精密に形成することが難しい。特に、電極線が金属膜のエッチングによって形成される場合には、角部における電極線の線幅が設計寸法よりも広がりやすい。その結果、図１６（ａ）が示すように、第１電極線１１０ａと第１電極線１１０ｂとの交点部分には、交点を中心として略菱形状に広がる第１膨大部１１１が形成される。複数の第１膨大部１１１は、第１パターンが有する格子点の周期と一致した周期で並ぶ。
【００１０】
図１６（ｂ）は、複数の第２電極線からなるパターンである第２パターンの一例を示す図である。複数の第２電極線１２０には、第１方向Ｄａに沿って延びる複数の第２電極線１２０ａと、第２方向Ｄｂに沿って延びる複数の第２電極線１２０ｂとが含まれる。複数の第２電極線１２０ａと複数の第２電極線１２０ｂとが相互に交差することによって、格子状のパターンが形成されている。第２パターンが含む格子の周期は、第１パターンが含む格子の周期と一致している。
【００１１】
第１パターンと同様に、第２パターンにおいても、第２電極線１２０ａと第２電極線１２０ｂとの交点部分には、交点を中心として略菱形状に広がる第２膨大部１２１が形成される。複数の第２膨大部１２１は、第２パターンが有する格子点の周期と一致した周期で並ぶ。
【００１２】
図１７は、第１パターンと第２パターンとを重ね合わせた電極線パターンを示す図である。第１パターンと第２パターンとは、第１方向Ｄａと第２方向Ｄｂとの各々に沿って格子の位置が半周期ずれるように重ねられる。したがって、電極線パターンが含む格子は、第１パターンおよび第２パターンの各々の２分の１の周期で格子点が並ぶ格子である。
【００１３】
ここで、電極線パターンが有する格子点には、第１電極線１１０同士が交差する第１格子点１３０ａと、第２電極線１２０同士が交差する第２格子点１３０ｂと、第１電極線１１０と第２電極線１２０とが相互に交差する第３格子点１３０ｃとが含まれる。第１格子点１３０ａは第１パターンに含まれる格子点であり、第２格子点１３０ｂは第２パターンに含まれる格子点である。そして、第１格子点１３０ａには第１膨大部１１１が位置し、第２格子点１３０ｂには第２膨大部１２１が位置する。一方で、第３格子点１３０ｃは、同一面内に配置された電極線同士の交点ではないため、第３格子点１３０ｃには、第１膨大部１１１や第２膨大部１２１のような略菱形状の部分は形成されない。したがって、電極線パターンにおいては、膨大部１１１，１２１の位置する格子点と、膨大部１１１，１２１の位置しない格子点とが、第１方向Ｄａと第２方向Ｄｂとの各々に沿って交互に並ぶ。
【００１４】
こうした電極線パターンにおいては、膨大部１１１，１２１である点状の部分が所定の周期で並ぶ１つの周期構造が形成される。この周期構造は、電極線パターンにおける格子の周期、すなわち、格子点の並びの周期とは異なる周期の周期構造である。また、格子点がその周期で並ぶ方向である格子点の配列方向と、膨大部１１１，１２１がその周期で並ぶ方向である膨大部１１１，１２１の配列方向とは互いに異なっている。すなわち、電極線パターンにおける格子にて単位構造が繰り返される方向と、膨大部１１１，１２１が形成する周期構造にて単位構造が繰り返される方向とは互いに異なっている。そして、こうした電極線パターンが画素パターンと重ね合わされると、以下の課題を生じる。すなわち、電極線パターンが構成する格子の周期や傾きが、画素パターンとの重ね合わせにおいて、モアレの視認されにくい周期や傾きに設定されるとしても、膨大部１１１，１２１が形成する周期構造、すなわち、上記格子とは異なる周期および傾きを有する周期構造と、画素パターンの周期構造とのずれに起因して、モアレが視認される場合がある。
本発明は、モアレが視認されることを抑えることのできる導電性フィルム、タッチパネル、および、表示装置を提供することを目的とする。
【課題を解決するための手段】
【００１５】
上記課題を解決する導電性フィルムは、タッチパネルに備えられる導電性フィルムであって、第１面と、前記第１面とは反対側の面である第２面とを有する透明誘電体層と、前記第１面に位置する第１導電性パターンであって、複数の電極線から構成される四角格子である第１格子と、前記第１格子の格子点に位置する膨大部とを含む前記第１導電性パターンと、前記第２面に位置する第２導電性パターンであって、複数の電極線から構成される四角格子である第２格子と、前記第２格子の格子点に位置する膨大部とを含む前記第２導電性パターンと、を備え、前記第１導電性パターンおよび前記第２導電性パターンの少なくとも一方は、点状の疑似膨大部を含み、前記第１面と対向する方向から見て、前記第１格子と前記第２格子とは、これらの組み合わせによって新たな四角格子を構成し、かつ、前記第１格子の格子点は、前記第２格子の格子内に位置し、前記第１面と対向する方向から見て、前記第１格子の電極線と前記第２格子の電極線とが交差する交差部ごとに、１つの前記疑似膨大部が配置され、前記疑似膨大部は、前記第１格子において互いに隣り合う２つの格子点であって前記交差部を挟む格子点間を結ぶ電極線、および、前記第２格子において互いに隣り合う２つの格子点であって前記交差部を挟む格子点間を結ぶ電極線に連続している。
【００１６】
上記構成によれば、第１格子の格子点および第２格子の格子点に向けて電極線の線幅が広がることによって形成される膨大部と、疑似膨大部とからなるパターンが、第１格子と第２格子とから構成される格子の周期と同等の周期で同等の方向に繰り返す周期構造として認識される。したがって、電極線パターンに、第１格子と第２格子とから構成される格子とは周期や繰り返しの方向が異なる周期構造が加わることが抑えられるため、電極線パターンと画素パターンとを重ね合わせたときに、モアレが視認されることが抑えられる。
【００１７】
上記構成において、前記第１面と対向する方向から見て、前記疑似膨大部は前記交差部を囲んでいてもよい。
【００１８】
上記構成によれば、膨大部と疑似膨大部とからなるパターンが、第１格子と第２格子とから構成される格子の周期と同等の周期で同等の方向に繰り返す周期構造としてより認識されやすくなる。
【００１９】
上記構成において、前記第１導電性パターンおよび前記第２導電性パターンのうち、前記疑似膨大部を含む導電性パターンが対象導電性パターンであり、前記第１導電性パターンが前記対象導電性パターンであるときの前記第１格子、および、前記第２導電性パターンが前記対象導電性パターンであるときの前記第２格子の各々が対象格子であり、前記疑似膨大部は、前記対象格子の格子上において互いに隣り合う格子点間の中点を囲む位置に配置されていてもよい。
【００２０】
上記構成によれば、第１面と対向する方向から見て、第１格子の格子点が第２格子の格子内の中央に位置するように設計された電極線パターンにおいて、膨大部と疑似膨大部とからなるパターンが、第１格子と第２格子とから構成される格子の周期と同等の周期で同等の方向に繰り返す周期構造としてより認識されやすくなる。
上記構成において、前記第１導電性パターンおよび前記第２導電性パターンのうちの一方に、すべての前記疑似膨大部が含まれてもよい。
【００２１】
上記構成によれば、複数の疑似膨大部が第１導電性パターンと第２導電性パターンとに分散して配置されている構成と比較して、疑似膨大部の配置についての設計が容易である。
【００２２】
上記構成において、複数の前記疑似膨大部の一部が、前記第１導電性パターンに含まれ、複数の前記疑似膨大部の残部が前記第２導電性パターンに含まれてもよい。
【００２３】
上記構成によれば、複数の膨大部が第１導電性パターンと第２導電性パターンとに分散して配置されるとともに、複数の疑似膨大部もまた第１導電性パターンと第２導電性パターンとに分散して配置される。したがって、複数の膨大部と複数の疑似膨大部とが、より近い視認性を有する。
上記構成において、前記第１導電性パターンおよび前記第２導電性パターンの各々において、複数の前記疑似膨大部は規則的に並んでいてもよい。
【００２４】
上記構成によれば、第１導電性パターンおよび第２導電性パターンの各々において、複数の疑似膨大部が不規則に並ぶ構成と比較して、疑似膨大部の配置についての設計に要する負荷が低減される。
上記構成において、前記第１導電性パターンおよび前記第２導電性パターンの各々において、複数の前記疑似膨大部は不規則に並んでいてもよい。
【００２５】
上記構成によれば、複数の疑似膨大部が、疑似膨大部のみによって周期構造を形成するように認識されることが抑えられる。したがって、膨大部と疑似膨大部とからなるパターンが、第１格子と第２格子とから構成される格子の周期と同等の周期で同等の方向に繰り返す周期構造としてより認識されやすくなる。
【００２６】
上記課題を解決するタッチパネルは、導電性フィルムと、前記導電性フィルムを覆うカバー層と、前記第１導電性パターンが含む電極と前記第２導電性パターンが含む電極との間の静電容量を測定する周辺回路と、を備える。
【００２７】
上記構成によれば、疑似膨大部の配置によって、第１格子と第２格子とから構成される格子とは周期や繰り返しの方向が異なる周期構造が加わることが抑えられた電極線パターンを有するタッチパネルが実現される。したがって、タッチパネルと画素パターンとを重ね合わせたときに、モアレが視認されることが抑えられる。
【００２８】
上記課題を解決する表示装置は、格子状に配置された複数の画素を有して情報を表示する表示パネルと、前記表示パネルの表示する前記情報を透過するタッチパネルと、前記タッチパネルの駆動を制御する制御部と、を備え、前記タッチパネルは、上記タッチパネルである。
上記構成によれば、モアレが視認されることが抑えられた表示装置が実現される。したがって、表示装置にて視認される画像の品質の低下が抑えられる。
【発明の効果】
【００２９】
本発明によれば、電極線パターンと画素パターンとを重ね合わせたときに、モアレが視認されることを抑えることができる。
【図面の簡単な説明】
【００３０】
【図１】表示装置の第１実施形態について、表示装置の断面構造を示す断面図。
【図２】第１実施形態における導電性フィルムの平面構造を示す平面図。
【図３】第１実施形態における表示パネルの画素配列を示す平面図。
【図４】第１実施形態におけるタッチパネルの電気的構成を説明するための模式図。
【図５】第１実施形態におけるセンシング電極の構成を拡大して示す図。
【図６】第１実施形態におけるドライブ電極の構成を拡大して示す図。
【図７】第１実施形態におけるセンシング電極とドライブ電極とから構成される電極線パターンを示す図。
【図８】第１実施形態における膨大部の構成を示す図。
【図９】第１実施形態における疑似膨大部の構成の一例を示す図。
【図１０】第１実施形態における疑似膨大部の構成の一例を示す図。
【図１１】第１実施形態における疑似膨大部の構成の一例を示す図。
【図１２】（ａ）は、導電性フィルムの第２実施形態におけるセンシング電極の構成の一例を拡大して示す図、（ｂ）は、第２実施形態におけるドライブ電極の構成の一例を拡大して示す図。
【図１３】（ａ）は、導電性フィルムの第２実施形態におけるセンシング電極の構成の一例を拡大して示す図、（ｂ）は、第２実施形態におけるドライブ電極の構成の一例を拡大して示す図。
【図１４】変形例における表示装置の断面構造を示す断面図。
【図１５】変形例における表示装置の断面構造を示す断面図。
【図１６】（ａ）は、従来の導電性フィルムが備える第１電極の構成を拡大して示す図、（ｂ）は、従来の導電性フィルムが備える第２電極の構成を拡大して示す図。
【図１７】従来の導電性フィルムにおける第１電極と第２電極とから構成される電極線パターンを示す図。
【発明を実施するための形態】
【００３１】
（第１実施形態）
図１〜図１１を参照して、導電性フィルム、タッチパネル、および、表示装置の第１実施形態について説明する。なお、各図は、第１実施形態の導電性フィルム、タッチパネル、および、表示装置を説明するためにこれらの構成を模式的に示した図であり、各図に示される構成が有する各部位の大きさの比率は、実際の比率とは異なる場合がある。
【００３２】
［表示装置の構成］
図１を参照して、表示装置の構成について説明する。
【００３３】
図１が示すように、表示装置１００は、例えば、液晶パネルである表示パネル１０と、タッチパネル２０とが、図示しない１つの透明接着層によって貼り合わされた積層体を備え、さらに、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、略矩形形状の表示面が区画され、表示面には、画像データに基づく画像などの情報が表示される。
【００３４】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３５】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う領域として矩形形状を有する複数の領域を区画し、ブラックマトリクスの区画する各領域には、白色光を赤色、緑色、および、青色のいずれかの色の光に変える着色層が位置している。
【００３６】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５は割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３７】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００３８】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００３９】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００４０】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００４１】
透明接着層３２は、表示面に表示される画像などの情報を透過する光透過性を有し、透明接着層３２には、例えば、ポリエーテル系接着剤やアクリル系接着剤などが用いられる。
【００４２】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造体であってもよいし、２つ以上の基材が重ねられた多層構造体であってもよい。
【００４３】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４４】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４５】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４６】
カバー層２２は、強化ガラスなどのガラス基板や樹脂フィルムなどから形成され、カバー層２２における透明接着層２３とは反対側の面は、タッチパネル２０における表面であって操作面２０Ｓとして機能する。
【００４７】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００４８】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００４９】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００５０】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。
【００５１】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００５２】
各センシング電極３３ＳＰは、複数のセンシング電極線３３ＳＲを含む。複数のセンシング電極線３３ＳＲには、第１交差方向Ｃ１に沿って延びる複数のセンシング電極線３３ＳＲａと、第１交差方向Ｃ１と直交する第２交差方向Ｃ２に沿って延びる複数のセンシング電極線３３ＳＲｂとが含まれる。第１交差方向Ｃ１は、第１電極方向Ｄ１および第２電極方向Ｄ２のいずれとも異なり、これらの方向のいずれに対しても傾斜した方向である。また、第２交差方向Ｃ２も、第１電極方向Ｄ１および第２電極方向Ｄ２のいずれとも異なり、これらの方向のいずれに対しても傾斜した方向である。
【００５３】
複数のセンシング電極線３３ＳＲａと複数のセンシング電極線３３ＳＲｂとが交差することにより、センシング電極面３３Ｓには、矩形格子状のパターンが形成されている。
【００５４】
センシング電極線３３ＳＲの形成材料には、銅や銀やアルミニウムなどの金属膜が用いられ、センシング電極線３３ＳＲは、例えば、センシング電極面３３Ｓに成膜された金属膜がエッチングによってパターニングされることにより形成される。各センシング電極３３ＳＰにおける第１電極方向Ｄ１の一方の端部では、センシング電極３３ＳＰごとに設けられたセンシングパッド３３Ｐにセンシング電極線３３ＳＲが接続されている。そして、複数のセンシング電極３３ＳＰの各々は、センシングパッド３３Ｐを介して個別にタッチパネル２０の周辺回路の一例である検出回路に接続され、検出回路によって電流値を測定される。
【００５５】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５６】
各ドライブ電極３１ＤＰは、複数のドライブ電極線３１ＤＲを含む。複数のドライブ電極線３１ＤＲには、第１交差方向Ｃ１に沿って延びる複数のドライブ電極線３１ＤＲａと、第２交差方向Ｃ２に沿って延びる複数のドライブ電極線３１ＤＲｂとが含まれる。複数のドライブ電極線３１ＤＲａと複数のドライブ電極線３１ＤＲｂとが交差することにより、ドライブ電極面３１Ｓには、矩形格子状のパターンが形成されている。
【００５７】
ドライブ電極線３１ＤＲの形成材料には、銅や銀やアルミニウムなどの金属膜が用いられ、ドライブ電極線３１ＤＲは、例えば、ドライブ電極面３１Ｓに成膜された金属膜がエッチングによってパターニングされることにより形成される。各ドライブ電極３１ＤＰにおける第２電極方向Ｄ２の一方の端部では、ドライブ電極３１ＤＰごとに設けられたドライブパッド３１Ｐにドライブ電極線３１ＤＲが接続されている。そして、複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００５８】
透明誘電体基板３３の表面と対向する方向から見て、複数のセンシング電極３３ＳＰと複数のドライブ電極３１ＤＰとは、これらの重ね合わせによって、新たな矩形格子状のパターンを形成している。
【００５９】
透明誘電体基板３３の表面と対向する方向から見て、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
なお、センシング電極線３３ＳＲおよびドライブ電極線３１ＤＲの形成方法としては、上述のエッチングに限らず、例えば印刷法などの他の方法が用いられてもよい。
【００６０】
［表示パネルの平面構造］
図３を参照して、表示パネル１０におけるカラーフィルタ層１５の平面構造、すなわち、表示パネル１０の画素配列について説明する。
【００６１】
図３が示すように、カラーフィルタ層１５のブラックマトリクス１５ａは、上記第１電極方向Ｄ１と上記第２電極方向Ｄ２とに沿って並ぶ矩形形状を有した複数の単位格子から構成される格子パターンを有している。１つの画素１５Ｐは、第１電極方向Ｄ１に沿って連続する３つの単位格子から構成され、複数の画素１５Ｐは、第１電極方向Ｄ１、および、第２電極方向Ｄ２に沿って格子状に並んでいる。
【００６２】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、赤色着色層１５Ｒ、緑色着色層１５Ｇ、および、青色着色層１５Ｂが、第１電極方向Ｄ１に沿って、この順で、繰り返し並んでいる。また、複数の赤色着色層１５Ｒは、第２電極方向Ｄ２に沿って連続して並び、複数の緑色着色層１５Ｇは、第２電極方向Ｄ２に沿って連続して並び、複数の青色着色層１５Ｂは、第２電極方向Ｄ２に沿って連続して並んでいる。
【００６３】
１つの赤色着色層１５Ｒ、１つの緑色着色層１５Ｇ、および、１つの青色着色層１５Ｂは、１つの画素１５Ｐを構成し、複数の画素１５Ｐは、第１電極方向Ｄ１における赤色着色層１５Ｒ、緑色着色層１５Ｇ、および、青色着色層１５Ｂの並ぶ順番を維持した状態で、第１電極方向Ｄ１に沿って並んでいる。また、換言すれば、複数の画素１５Ｐは、第２電極方向Ｄ２に沿って延びるストライプ状に配置されている。
【００６４】
画素１５Ｐにおける第１電極方向Ｄ１に沿った幅が第１画素幅ＷＰ１であり、画素１５Ｐにおける第２電極方向Ｄ２に沿った幅が第２画素幅ＷＰ２である。第１画素幅ＷＰ１、および、第２画素幅ＷＰ２の各々は、表示パネル１０の大きさや表示パネル１０に求められる解像度などに応じた値に設定される。
【００６５】
［タッチパネルの電気的構成］
図４を参照して、タッチパネル２０の電気的構成を、表示装置１００の備える制御部の機能とともに説明する。なお、以下では、静電容量方式のタッチパネル２０の一例として、相互容量方式のタッチパネル２０における電気的構成を説明する。
【００６６】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６７】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６８】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６９】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００７０】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００７１】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００７２】
制御部３６は、信号処理部３５ｂの出力した電圧信号に基づいて、タッチパネル２０において使用者の指などが触れている位置を検出し、検出した位置の情報を、表示パネル１０の表示面に表示される情報の生成などの各種の処理に利用する。なお、タッチパネル２０は、上述した相互容量方式のタッチパネル２０に限らず、自己容量方式のタッチパネルであってもよい。
【００７３】
［センシング電極の構成］
図５を参照して、センシング電極３３ＳＰの詳細な構成について説明する。図５はセンシング電極３３ＳＰの一部を拡大して示す図である。
図５が示すように、透明誘電体基板３３の表面と対向する方向から見て、センシング電極面３３Ｓには、矩形格子模様を有したセンシング格子３３ＳＬが配置されている。センシング格子３３ＳＬは、第１交差方向Ｃ１に沿って延びる複数のセンシング電極線３３ＳＲａと、第２交差方向Ｃ２に沿って延びる複数のセンシング電極線３３ＳＲｂとから構成される。センシング格子３３ＳＬにおける単位格子は、透明誘電体基板３３の表面と対向する方向から見て、１辺の長さがセンシング格子ピッチＰ１である正方形形状を有する。
【００７４】
センシング電極線３３ＳＲａとセンシング電極線３３ＳＲｂとは相互に直交しており、これらの電極線の交点付近では、センシング電極線３３ＳＲの延びる方向が単位面積において急激に変わる。そのため、エッチングによってセンシング電極線３３ＳＲを形成する場合、交点が形成される予定の部分にてエッチング液の流れに偏りが生じる。結果として、交点の付近では電極線の線幅が広がり、交点を中心として略菱形状に広がる膨大部３３ＳＥが形成される。膨大部３３ＳＥは、センシング格子３３ＳＬが有する複数の格子点３３ＳＸの各々に位置し、センシング電極線３３ＳＲと一体化している。格子点３３ＳＸは、センシング格子３３ＳＬを構成する格子線が互いに交わる点である。
【００７５】
さらに、センシング電極面３３Ｓには、膨大部３３ＳＥに近似した形状を有する疑似膨大部３３ＳＤが配置されている。疑似膨大部３３ＳＤは、センシング格子３３ＳＬ上において互いに隣り合う２つの格子点３３ＳＸ間の中点を囲む位置に配置されている。すなわち、疑似膨大部３３ＳＤは、センシング電極線３３ＳＲの線上に位置し、第１交差方向Ｃ１に沿って互いに隣り合う２つの膨大部３３ＳＥ間の中央部、および、第２交差方向Ｃ２に沿って互いに隣り合う２つの膨大部３３ＳＥ間の中央部の各々に配置されている。
【００７６】
上記構成においては、第１交差方向Ｃ１に沿って、膨大部３３ＳＥと疑似膨大部３３ＳＤとが交互に並び、かつ、第２交差方向Ｃ２に沿って、膨大部３３ＳＥと疑似膨大部３３ＳＤとが交互に並ぶ。
【００７７】
なお、図５および以降の図においては、膨大部３３ＳＥと疑似膨大部３３ＳＤとの区別を容易にするために、膨大部３３ＳＥをドットの付された部分として示し、疑似膨大部３３ＳＤを黒く塗り潰された部分として示している。膨大部３３ＳＥと疑似膨大部３３ＳＤとは、センシング電極線３３ＳＲの形成時に、センシング電極線３３ＳＲとともに同一の金属膜から形成される。すなわち、センシング電極面３３Ｓに形成された導電性パターンであるセンシングパターンは、センシング電極線３３ＳＲからなるセンシング格子３３ＳＬと、膨大部３３ＳＥと、疑似膨大部３３ＳＤとを含む。
【００７８】
［ドライブ電極の構成］
図６を参照して、ドライブ電極３１ＤＰの詳細な構成について説明する。図６はドライブ電極３１ＤＰの一部を拡大して示す図である。
図６が示すように、透明誘電体基板３３の表面と対向する方向から見て、ドライブ電極面３１Ｓには、矩形格子模様を有したドライブ格子３１ＤＬが配置されている。ドライブ格子３１ＤＬは、第１交差方向Ｃ１に沿って延びる複数のドライブ電極線３１ＤＲａと、第２交差方向Ｃ２に沿って延びる複数のドライブ電極線３１ＤＲｂとから構成される。ドライブ格子３１ＤＬにおける単位格子は、透明誘電体基板３３の表面と対向する方向から見て、１辺の長さがドライブ格子ピッチＰ２である正方形形状を有する。ドライブ格子ピッチＰ２は、センシング格子ピッチＰ１と一致する。
【００７９】
ドライブ電極線３１ＤＲａとドライブ電極線３１ＤＲｂとは直交しており、これらの電極線の交点付近には、センシング電極３３ＳＰと同様に、交点を中心として略菱形状に広がる膨大部３１ＤＥが形成される。膨大部３１ＤＥは、ドライブ格子３１ＤＬの有する複数の格子点３１ＤＸの各々に位置する。
【００８０】
一方、ドライブ電極面３１Ｓには、センシング電極３３ＳＰのような疑似膨大部は配置されていない。すなわち、ドライブ電極面３１Ｓに形成された導電性パターン、すなわち、透明誘電体基板３３の裏面に位置する導電性パターンであるドライブパターンは、ドライブ電極線３１ＤＲからなるドライブ格子３１ＤＬと、膨大部３１ＤＥとを含む。
【００８１】
［電極線パターンの構成］
図７を参照して、複数のセンシング電極３３ＳＰと複数のドライブ電極３１ＤＰとが重ね合わされることによって形成されるパターンである電極線パターンについて説明する。図７は、電極線パターンの一部を拡大して示す図である。
【００８２】
図７が示すように、導電性フィルム２１では、透明誘電体基板３３の表面と対向する方向から見て、センシングパターンとドライブパターンとが重ね合わされたパターンが形成されている。
【００８３】
透明誘電体基板３３の表面と対向する方向から見て、センシング格子３３ＳＬとドライブ格子３１ＤＬとは、第１交差方向Ｃ１および第２交差方向Ｃ２の各々について、センシング格子ピッチＰ１の半分、すなわち、ドライブ格子ピッチＰ２の半分の長さだけずれて重なっている。すなわち、透明誘電体基板３３の表面と対向する方向から見て、センシング格子３３ＳＬの格子点３３ＳＸは、ドライブ格子３１ＤＬの格子内の中央部に位置し、ドライブ格子３１ＤＬの格子点３１ＤＸは、センシング格子３３ＳＬの格子内の中央部に位置する。これにより、センシング格子３３ＳＬとドライブ格子３１ＤＬとは、これらの組み合わせによって、矩形格子模様を有する複合格子３０Ｌを新たに構成している。
【００８４】
複合格子３０Ｌにおける単位格子は、透明誘電体基板３３の表面と対向する方向から見て、１辺の長さが複合格子ピッチＰ３である正方形形状を有する。複合格子ピッチＰ３は、センシング格子ピッチＰ１の半分の長さであり、ドライブ格子ピッチＰ２の半分の長さである。
【００８５】
上記構成においては、複合格子３０Ｌは、第１電極方向Ｄ１および第２電極方向Ｄ２に対して傾斜した格子形状を有する。したがって、ブラックマトリクス１５ａが形成する矩形格子模様、すなわち、第１電極方向Ｄ１と第２電極方向Ｄ２とに沿って延びる矩形格子模様と、複合格子３０Ｌが形成する矩形格子模様との干渉によるモアレの発生が抑えられる。なお、第１電極方向Ｄ１と第１交差方向Ｃ１との形成する角度、第２電極方向Ｄ２と第２交差方向Ｃ２との形成する角度は、第１画素幅ＷＰ１および第２画素幅ＷＰ２に応じて、よりモアレの抑えられる角度に設定されることが好ましい。
【００８６】
複合格子３０Ｌが有する格子点には、センシング格子３３ＳＬが有する格子点３３ＳＸと、ドライブ格子３１ＤＬが有する格子点３１ＤＸと、センシング格子３３ＳＬとドライブ格子３１ＤＬとが交差する交差部である格子点３０ＬＸとが含まれる。センシング格子の格子点３３ＳＸには、膨大部３３ＳＥが位置し、ドライブ格子３１ＤＬの格子点３１ＤＸには、膨大部３１ＤＥが位置する。
【００８７】
透明誘電体基板３３の表面と対向する方向から見て、センシング格子３３ＳＬとドライブ格子３１ＤＬとは、センシング格子３３ＳＬにおける互いに隣り合う格子点３３ＳＸ間を結ぶ電極線の中点と、ドライブ格子３１ＤＬにおける互いに隣り合う格子点３１ＤＸ間を結ぶ電極線の中点とが重なるように交差する。すなわち、上記交差部である格子点３０ＬＸは、互いに隣り合う格子点３３ＳＸ間の中点に位置するとともに、互いに隣り合う格子点３１ＤＸ間の中点に位置する。互いに隣り合う格子点３３ＳＸ間の中点には、疑似膨大部３３ＳＤが位置し、すなわち、上記交差部である格子点３０ＬＸには、疑似膨大部３３ＳＤが位置する。
【００８８】
このように、複合格子３０Ｌが有するすべての格子点には、膨大部３３ＳＥ、膨大部３１ＤＥ、および、疑似膨大部３３ＳＤのいずれかが位置する。透明誘電体基板３３の表面と対向する方向から見て、第１交差方向Ｃ１と第２交差方向Ｃ２との各々に沿って、膨大部３３ＳＥ，３１ＤＥと疑似膨大部３３ＳＤとが交互に並ぶ。
【００８９】
上記構成においては、膨大部３３ＳＥ，３１ＤＥと疑似膨大部３３ＳＤとは、同様の形状を有した点状の部分として視認される。そして、これらの点状の部分は、複合格子３０Ｌにおける格子の周期と同一の周期を有する周期構造を形成し、また、これらの点状の部分が形成する周期構造の繰り返しの方向と、複合格子３０Ｌにおける周期構造の繰り返しの方向とは一致する。したがって、電極線パターンに、複合格子３０Ｌとは周期や繰り返しの方向が異なる周期構造が加わることが抑えられるため、電極線パターンと画素パターンとを重ね合わせたときに、モアレが視認されることが抑えられる。
【００９０】
ここで、図８〜図１１を参照して、疑似膨大部３３ＳＤの詳細な構造について説明する。まず、図８を参照して、膨大部３３ＳＥ，３１ＤＥの構造について説明する。図８では、膨大部３３ＳＥを例示して説明するが、膨大部３３ＳＥと膨大部３１ＤＥとの構成に差異はない。
【００９１】
図８が示すように、膨大部３３ＳＥは、センシング電極線３３ＳＲに接してセンシング電極線３３ＳＲと一体化しており、膨大部３３ＳＥの外形は、格子点３３ＳＸを中心とする略菱形状、より詳細には、略アステロイド状を有する。膨大部３３ＳＥは、格子点３３ＳＸから延びるセンシング電極線３３ＳＲａとセンシング電極線３３ＳＲｂとの間の領域を埋めるように広がっている。センシング格子３３ＳＬにおける１つの格子内にて、膨大部３３ＳＥの外縁はセンシング電極線３３ＳＲａからセンシング電極線３３ＳＲｂまで曲線状に延び、格子点３３ＳＸに向けて窪むように湾曲している。
【００９２】
センシング電極線３３ＳＲの線幅が線幅ｄｌであり、第１交差方向Ｃ１における膨大部３３ＳＥの両端間の長さが第１長さｄＥｘであり、第２交差方向Ｃ２における膨大部３３ＳＥの両端間の長さが第２長さｄＥｙである。第１交差方向Ｃ１および第２交差方向Ｃ２の各々における膨大部３３ＳＥの両端は、膨大部３３ＳＥがセンシング格子３３ＳＬの格子線と接続する位置として定められる。
【００９３】
表１は、線幅ｄｌやセンシング格子ピッチＰ１が異なる３つのセンシング格子３３ＳＬのサンプルについて計測した線幅ｄｌ、第１長さｄＥｘ、線幅ｄｌに対する第１長さｄＥｘの比（ｄＥｘ／ｄｌ）を示す。なお、第１長さｄＥｘは、線幅ｄｌと、センシング格子３３ＳＬの１つの格子内における膨大部３３ＳＥの長さｄＥｒとを測定し、線幅ｄｌに２倍した長さｄＥｒを加算することにより求めた（ｄＥｘ＝ｄｌ＋２×ｄＥｒ）。また、線幅ｄｌに対する第１長さｄＥｘの比は、少数第二位以下を四捨五入した値を記載している。なお、第２長さｄＥｙは、第１長さｄＥｘとほぼ等しい。
【００９４】
【表１】
2018081486.tif 000003
【００９５】
続いて、図９〜図１１を参照して、疑似膨大部３３ＳＤの構造について説明する。
疑似膨大部３３ＳＤが、膨大部３３ＳＥ，３１ＤＥと近い形状であるほど、膨大部３３ＳＥ，３１ＤＥおよび疑似膨大部３３ＳＤからなる周期構造が、複合格子３０Ｌの周期構造と同一の周期で同一の方向に繰り返す周期構造であると認識されやすい。ただし、膨大部３３ＳＥ，３１ＤＥおよび疑似膨大部３３ＳＤは微細な構造体であるため、膨大部３３ＳＥ，３１ＤＥと疑似膨大部３３ＳＤとの形状が一致していなくても、疑似膨大部３３ＳＤが点状の外形を有していれば、膨大部３３ＳＥ，３１ＤＥと疑似膨大部３３ＳＤとは同様の構成を有する構造体として認識され得る。点状の形状は、１つの点から二次元に広がる形状であり、疑似膨大部３３ＳＤの外形は、例えば、矩形や菱形等の多角形状や円形状やアステロイド状であってもよいし、こうした図形以外の二次元図形状であってもよい。
【００９６】
図９〜図１１が示すように、疑似膨大部３３ＳＤは、例えば、膨大部３３ＳＥ，３１ＤＥと同様の略アステロイド状の外形を有する。すなわち、疑似膨大部３３ＳＤは、センシング格子３３ＳＬにおいて互いに隣り合う２つの格子点３３ＳＸ間の中点Ｃから、中点Ｃを通って第１交差方向Ｃ１に延びる直線と、中点Ｃを通って第２交差方向Ｃ２に延びる直線との間の領域を埋めるように広がっている。
【００９７】
疑似膨大部３３ＳＤの広がりの中心、すなわち、中点Ｃを複合格子３０Ｌの格子点３０ＬＸに配置したとき、複合格子３０Ｌにおける１つの格子内にて、疑似膨大部３３ＳＤの外縁は第１交差方向Ｃ１に延びる電極線から、第２交差方向Ｃ２に延びる電極線まで曲線状に延び、格子点３０ＬＸに向けて窪むように湾曲している。
【００９８】
疑似膨大部３３ＳＤのなかで、第１交差方向Ｃ１における端部と第２交差方向Ｃ２における端部とのうち、透明誘電体基板３３の表面と対向する方向から見て、ドライブ電極線３１ＤＲと重なる端部、すなわち、センシング電極面３３Ｓにおいては電極線と接しない端部の形状は、特に限定されない。
【００９９】
例えば、疑似膨大部３３ＳＤの端部は、図９が示すように、湾曲する外縁の端を直線状に繋ぐ形状であってもよいし、図１０が示すように、湾曲する外縁が延長されて交わる頂点を有する形状であってもよいし、図１１が示すように、湾曲する外縁の端を曲線状に繋ぐ形状であってもよい。
【０１００】
疑似膨大部３３ＳＤの広がりの中心を複合格子３０Ｌの格子点３０ＬＸに配置した場合において、第１交差方向Ｃ１における疑似膨大部３３ＳＤの両端間の長さが第１長さｄＤｘであり、第２交差方向Ｃ２における疑似膨大部３３ＳＤの両端間の長さが第２長さｄＤｙである。第１交差方向Ｃ１および第２交差方向Ｃ２の各々における疑似膨大部３３ＳＤの両端は、疑似膨大部３３ＳＤが複合格子３０Ｌの格子線と接続する位置として定められる。
【０１０１】
疑似膨大部３３ＳＤが膨大部３３ＳＥ，３１ＤＥと同様の構造体として認識されやすい観点においては、第１長さｄＤｘは、センシング電極線３３ＳＲの線幅ｄｌの２倍以上２０倍以下であることが好ましく、線幅ｄｌの３倍以上１０倍以下であることがより好ましい。同様に、第２長さｄＤｙは、センシング電極線３３ＳＲの線幅ｄｌの２倍以上２０倍以下であることが好ましく、線幅ｄｌの３倍以上１０倍以下であることがより好ましい。なお、こうした第１長さｄＤｘおよび第２長さｄＤｙの範囲は、疑似膨大部３３ＳＤの形状に関わらず適用される。
【０１０２】
なお、疑似膨大部３３ＳＤの形状は、センシング格子３３ＳＬにおいて互いに隣り合う２つの格子点３３ＳＸ間の中点Ｃ、すなわち、複合格子３０Ｌの格子点３０ＬＸに対して点対称な形状でなくてもよい。また、疑似膨大部３３ＳＤの形状は、中点Ｃを通って第１交差方向Ｃ１に延びる直線に対して線対称な形状でなくてもよいし、中点Ｃを通って第２交差方向Ｃ２に延びる直線に対して線対称な形状でなくてもよい。上述のように、疑似膨大部３３ＳＤが点状の外形を有していれば、膨大部３３ＳＥ，３１ＤＥと疑似膨大部３３ＳＤとは、１つの周期構造を構成する構造体として認識され得る。
【０１０３】
第１実施形態において、透明誘電体基板３３は透明誘電体層の一例である。そして、透明誘電体基板３３の表面が第１面の一例であり、透明誘電体基板３３の裏面が第２面の一例であり、センシングパターンが第１導電性パターンの一例であり、センシング格子３３ＳＬが第１格子の一例である。また、ドライブパターンが第２導電性パターンの一例であり、ドライブ格子３１ＤＬ第２格子の一例である。
【０１０４】
なお、上記実施形態では、疑似膨大部は、センシング電極面３３Ｓに配置されたが、ドライブ電極面３１Ｓに配置されてもよい。すなわち、センシングパターンと、ドライブパターンとのいずれかに、疑似膨大部が含まれればよい。
【０１０５】
以上説明したように、第１実施形態によれば、以下に列挙する効果を得ることができる。
（１）膨大部３３ＳＥ，３１ＤＥと疑似膨大部３３ＳＤとからなる周期構造が、複合格子３０Ｌにおける格子の周期と同一の周期で同一の方向に繰り返す周期構造として認識される。したがって、電極線パターンに、複合格子３０Ｌとは周期や繰り返しの方向が異なる周期構造が加わることが抑えられるため、電極線パターンと画素パターンを重ね合わせたときに、モアレが視認されることが抑えられる。
【０１０６】
（２）透明誘電体基板３３の表面と対向する方向から見て、疑似膨大部３３ＳＤは、センシング格子３３ＳＬとドライブ格子３１ＤＬとが交差する交差部を囲む。こうした構成によれば、膨大部３３ＳＥ，３１ＤＥと疑似膨大部３３ＳＤとからなる周期構造が、複合格子３０Ｌにおける格子の周期と同一の周期で同一の方向に繰り返す周期構造として的確に認識される。
【０１０７】
（３）透明誘電体基板３３の表面と対向する方向から見て、疑似膨大部３３ＳＤは、センシング格子３３ＳＬ上において互いに隣り合う格子点３３ＳＸ間の中点を囲む位置に配置されている。こうした構成によれば、透明誘電体基板３３の表面と対向する方向から見て、センシング格子３３ＳＬの格子点３３ＳＸがドライブ格子３１ＤＬの格子内の中央部に位置する電極線パターンにおいて、膨大部３３ＳＥ，３１ＤＥと疑似膨大部３３ＳＤとからなる周期構造が、複合格子３０Ｌにおける格子の周期と同一の周期で同一の方向に繰り返す周期構造として的確に認識される。
【０１０８】
（４）センシングパターンおよびドライブパターンのうちの一方に、すべての疑似膨大部が含まれる。こうした構成によれば、疑似膨大部の配置についての設計が容易である。
【０１０９】
（第２実施形態）
図１２および図１３を参照して、導電性フィルム、タッチパネル、および、表示装置の第２実施形態について説明する。以下では、第２実施形態と第１実施形態との相違点を中心に説明し、第１実施形態と同様の構成については同じ符号を付してその説明を省略する。
【０１１０】
第２実施形態においては、複数の疑似膨大部が、センシング電極面３３Ｓとドライブ電極面３１Ｓとの双方に、分散して配置されている。すなわち、センシングパターンは、センシング格子３３ＳＬと、膨大部３３ＳＥと、疑似膨大部３３ＳＤとを含み、ドライブパターンは、ドライブ格子３１ＤＬと、膨大部３１ＤＥと、疑似膨大部３１ＤＤとを含む。
【０１１１】
図１２は、疑似膨大部の分散配置の一例を示す図であって、図１２（ａ）は、センシング電極３３ＳＰの一部を拡大して示す図であり、図１２（ｂ）は、ドライブ電極３１ＤＰの一部を拡大して示す図である。
【０１１２】
図１２が示すように、疑似膨大部３３ＳＤ，３１ＤＤは、センシングパターンと、ドライブパターンとの各々において、規則的に並んでいる。詳細には、図１２（ａ）が示すように、センシングパターンが含む疑似膨大部３３ＳＤは、センシング格子３３ＳＬ上において互いに隣り合う格子点３３ＳＸ間の中点を囲む位置に配置されている。そして、互いに隣り合う格子点３３ＳＸ間を繋ぐ電極線を１つの格子辺とするとき、第１交差方向Ｃ１に並ぶ複数の格子辺について、疑似膨大部３３ＳＤは格子辺の１つおきに配置されている。また、第２交差方向Ｃ２に並ぶ複数の格子辺についても、疑似膨大部３３ＳＤは格子辺の１つおきに配置されている。そして、複数の疑似膨大部３３ＳＤは、第１交差方向Ｃ１および第２交差方向Ｃ２の各々に対して４５度傾斜した方向に延びる直線上に並んでいる。
【０１１３】
また、図１２（ｂ）が示すように、ドライブパターンが含む疑似膨大部３１ＤＤは、ドライブ格子３１ＤＬ上において互いに隣り合う格子点３１ＤＸ間の中点を囲む位置に配置されている。そして、第１交差方向Ｃ１に並ぶ複数の格子辺について、疑似膨大部３１ＤＤは格子辺の１つおきに配置され、また、第２交差方向Ｃ２に並ぶ複数の格子辺についても、疑似膨大部３１ＤＤは格子辺の１つおきに配置されている。そして、複数の疑似膨大部３１ＤＤは、第１交差方向Ｃ１および第２交差方向Ｃ２の各々に対して４５度傾斜した方向に延びる直線上に並んでいる。
【０１１４】
上記構成において、センシングパターンとドライブパターンとを重ね合わせた電極線パターンは、第１実施形態にて図７に示したパターンと同一のパターンとなる。すなわち、疑似膨大部３３ＳＤ，３１ＤＤの位置は、複合格子３０Ｌの格子点のうち、センシング格子３３ＳＬとドライブ格子３１ＤＬとが交差する交差部である格子点３０ＬＸごとに、疑似膨大部３３ＳＤおよび疑似膨大部３１ＤＤのいずれか１つが配置されるように、設定されている。
【０１１５】
複合格子３０Ｌの格子点３０ＬＸごとに、疑似膨大部３３ＳＤおよび疑似膨大部３１ＤＤのいずれか１つが配置される構成であれば、疑似膨大部３３ＳＤ，３１ＤＤの配置は、図１２に示した配置に限られない。例えば、センシングパターンにおいては、複数の疑似膨大部３３ＳＤが第１交差方向Ｃ１に並ぶように配置され、ドライブパターンにおいては、複数の疑似膨大部３１ＤＤが第２交差方向Ｃ２に並ぶように配置されてもよい。また、センシングパターンに含まれる疑似膨大部３３ＳＤの数とドライブパターンに含まれる疑似膨大部３１ＤＤの数とは、一致していてもよいし、異なっていてもよい。
【０１１６】
図１３は、疑似膨大部の分散配置の他の例を示す図であって、図１３（ａ）は、センシング電極３３ＳＰの一部を拡大して示す図であり、図１３（ｂ）は、ドライブ電極３１ＤＰの一部を拡大して示す図である。
【０１１７】
図１３が示すように、疑似膨大部３３ＳＤ，３１ＤＤは、センシングパターンと、ドライブパターンとの各々において、不規則に並んでいる。すなわち、図１３（ａ）が示すように、疑似膨大部３３ＳＤは、センシング格子３３ＳＬ上において互いに隣り合う格子点３３ＳＸ間の中点を囲む位置に配置されており、センシング格子３３ＳＬに対する複数の疑似膨大部３３ＳＤの並びは規則性を有さない。
【０１１８】
また、図１３（ｂ）が示すように、疑似膨大部３１ＤＤは、ドライブ格子３１ＤＬ上において互いに隣り合う格子点３１ＤＸ間の中点を囲む位置に配置されており、ドライブ格子３１ＤＬに対する複数の疑似膨大部３１ＤＤの並びも規則性を有さない。
【０１１９】
そして、複数の疑似膨大部３３ＳＤと複数の疑似膨大部３１ＤＤとは、透明誘電体基板３３の表面と対向する方向から見て、疑似膨大部３３ＳＤと疑似膨大部３１ＤＤとが重ならないように配置されている。
【０１２０】
すなわち、図１３に示す構成についても、センシングパターンとドライブパターンとを重ね合わせた電極線パターンは、第１実施形態にて図７に示したパターンと同一のパターンであり、疑似膨大部３３ＳＤ，３１ＤＤの位置は、複合格子３０Ｌの格子点３０ＬＸごとに、疑似膨大部３３ＳＤおよび疑似膨大部３１ＤＤのいずれか１つが配置されるように設定されている。なお、センシングパターンに含まれる疑似膨大部３３ＳＤの数とドライブパターンに含まれる疑似膨大部３１ＤＤの数とは、一致していてもよいし、異なっていてもよい。
【０１２１】
以上説明したように、第２実施形態によれば、第１実施形態の（１）〜（３）の効果に加えて、以下に列挙する効果を得ることができる。
（５）複数の疑似膨大部３３ＳＤ，３１ＤＤの一部が、センシングパターンに含まれ、複数の疑似膨大部３３ＳＤ，３１ＤＤの残部がドライブパターンに含まれる。こうした構成によれば、膨大部３３ＳＥ，３１ＤＥがセンシングパターンとドライブパターンとに分散して配置されるとともに、疑似膨大部３３ＳＤ，３１ＤＤもセンシングパターンとドライブパターンとに分散して配置される。したがって、複数の膨大部３３ＳＥ，３１ＤＥと複数の疑似膨大部３３ＳＤ，３１ＤＤとがより近い構成を有するように視認される。
【０１２２】
（６）センシングパターンおよびドライブパターンの各々において、複数の疑似膨大部３３ＳＤ，３１ＤＤが規則的に並んでいる構成では、複数の疑似膨大部３３ＳＤ，３１ＤＤが不規則に並ぶ構成と比較して、疑似膨大部３３ＳＤ，３１ＤＤの配置についての設計に要する負荷が低減される。
【０１２３】
（７）センシングパターンおよびドライブパターンの各々において、複数の疑似膨大部３３ＳＤ，３１ＤＤが不規則に並んでいる構成では、複数の疑似膨大部３３ＳＤ，３１ＤＤが疑似膨大部３３ＳＤ，３１ＤＤのみによって周期構造を形成するように認識されることが抑えられる。したがって、膨大部３３ＳＥ，３１ＤＥと疑似膨大部３３ＳＤ，３１ＤＤとからなる周期構造が、複合格子３０Ｌにおける格子の周期と同一の周期で同一の方向に繰り返す周期構造としてより認識されやすくなる。
【０１２４】
（変形例）
上記各実施形態は、以下のように変更して実施することが可能である。
・疑似膨大部３３ＳＤの広がりの中心は、センシング格子３３ＳＬ上において互いに隣り合う格子点３３ＳＸ間の中点からずれていてもよく、疑似膨大部３３ＳＤは当該中点を囲んでいなくてもよい。同様に、疑似膨大部３１ＤＤの中心は、ドライブ格子３１ＤＬ上において互いに隣り合う格子点３１ＤＸ間の中点からずれていてもよく、疑似膨大部３１ＤＤは、当該中点を囲んでいなくてもよい。そして、疑似膨大部３３ＳＤ，３１ＤＤの広がりの中心は、複合格子３０Ｌの格子点３０ＬＸ、すなわち、センシング格子３３ＳＬとドライブ格子３１ＤＬとが交差する交差部からずれていてもよく、疑似膨大部３３ＳＤ，３１ＤＤは上記交差部から離れていてもよい。疑似膨大部３３ＳＤ，３１ＤＤが上記交差部からずれていたとしても、ずれが微量であれば、膨大部３３ＳＥ，３１ＤＥと疑似膨大部とからなる周期構造は、複合格子３０Ｌにおける格子の周期と同等の周期で同等の方向に繰り返す周期構造として認識され得るため、上記（１）に準じた効果は得られる。
【０１２５】
具体的には、透明誘電体基板３３の表面と対向する方向から見て、上記交差部ごとに１つの疑似膨大部が配置され、疑似膨大部が、上記交差部を挟むセンシング格子３３ＳＬの格子点３３ＳＸ間を結ぶ電極線、および、上記交差部を挟むドライブ格子３１ＤＬの格子点３１ＤＸ間を結ぶ電極線の各々と連続していればよい。
【０１２６】
なお、疑似膨大部３３ＳＤ，３１ＤＤと上記交差部との位置のずれは、センシングパターンとドライブパターンとの重ね合わせの際にも生じ得る。こうした場合、第１実施形態のように、センシングパターンおよびドライブパターンの一方にすべての疑似膨大部が含まれる構成であれば、疑似膨大部同士の位置関係にはずれが生じないため、複合格子３０Ｌに対する疑似膨大部の位置のずれが小さく抑えられる。また、第２実施形態にて例示したように、センシングパターンおよびドライブパターンの各々において、複数の疑似膨大部が不規則に並んでいる構成であれば、疑似膨大部同士の位置関係にずれが生じたとしても、そのずれが認識されにくい。
【０１２７】
・上記実施形態では、センシング格子３３ＳＬ、ドライブ格子３１ＤＬ、および、複合格子３０Ｌの各々は、単位格子が正方形である矩形格子である。これに限らず、センシング格子３３ＳＬ、ドライブ格子３１ＤＬ、および、複合格子３０Ｌの各々の単位格子は、長方形であってもよいし、菱形であってもよい。すなわち、上記格子の各々は、四角格子であればよい。第１交差方向Ｃ１と第２交差方向Ｃ２とが直交しない構成では、単位格子は菱形となる。電極線が交差する角部の角度が小さいほど、角部を精密に形成することは難しく、単位格子が矩形である場合であれ菱形である場合であれ、電極線の交点部分には、直角もしくは鋭角の角部が２以上形成されるため、点状の膨大部が形成される。したがって、単位格子の形状に関わらず、上記実施形態の構成によって、モアレが生じることが抑えられる。
【０１２８】
なお、エッチング以外の方法によって電極線が形成される場合にも、電極線の交点部分のように微小な角部を精密に形成することは困難であるため、電極線の交点部分で電極線の線幅が広がることは避け難い。したがって、エッチングとは異なる製造方法が用いられる場合であっても、疑似膨大部を設けることによって、上記実施形態の効果に準じた効果は得られる。
【０１２９】
・センシング電極３３ＳＰの延びる方向である第１電極方向Ｄ１とドライブ電極３１ＤＰの延びる方向である第２電極方向Ｄ２とは直交していなくてもよく、これらの方向は交差していればよい。なお、第１電極方向Ｄ１と第２電極方向Ｄ２とが直交する構成では、センシング電極３３ＳＰとドライブ電極３１ＤＰとが重ね合わされた電極線パターンが容易に得られ、また、導電性フィルム２１の製造に際して、センシング電極３３ＳＰとドライブ電極３１ＤＰとの位置合わせが容易である。また、センシング電極３３ＳＰの延びる方向とセンシング電極３３ＳＰの並ぶ方向とは、互いに直交していなくてもよく、これらの方向は交差していればよい。同様に、ドライブ電極３１ＤＰの延びる方向とドライブ電極３１ＤＰの並ぶ方向とは、互いに直交していなくてもよく、これらの方向は交差していればよい。
【０１３０】
また、センシング格子３３ＳＬ、ドライブ格子３１ＤＬ、および、複合格子３０Ｌを構成するセンシング電極線３３ＳＲとドライブ電極線３１ＤＲとが延びる方向である第１交差方向Ｃ１および第２交差方向Ｃ２は、第１電極方向Ｄ１および第２電極方向Ｄ２と一致した方向であってもよい。
【０１３１】
・図１４が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１３２】
なお、上記各実施形態のように、センシング電極３３ＳＰとドライブ電極３１ＤＰとが互いに異なる基材上に形成されている構成では、１つの基材の両面に電極線が形成されている構成と比較して、電極線の形成が容易である。
【０１３３】
・図１５が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１３４】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１３５】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１３６】
Ｄ１…第１電極方向、Ｄ２…第２電極方向、Ｃ１…第１交差方向、Ｃ２…第２交差方向、ＮＤ…容量検出部、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３０Ｌ…複合格子、３０ＬＸ…格子点、３１…透明基板、３１Ｓ…ドライブ電極面、３１ＤＰ…ドライブ電極、３１ＤＲ…ドライブ電極線、３１ＤＥ…膨大部、３１ＤＤ…疑似膨大部、３１ＤＬ…ドライブ格子、３１ＤＸ…格子点、３３…透明誘電体基板、３３Ｓ…センシング電極面、３３ＳＰ…センシング電極、３３ＳＲ…センシング電極線、３３ＳＥ…膨大部、３３ＳＤ…疑似膨大部、３３ＳＬ…センシング格子、３３ＳＸ…格子点、３４…選択回路、３５…検出回路、３６…制御部、１００…表示装置。
【図１】
2018081486.tif 000004
【図２】
2018081486.tif 000005
【図３】
2018081486.tif 000006
【図４】
2018081486.tif 000007
【図５】
2018081486.tif 000008
【図６】
2018081486.tif 000009
【図７】
2018081486.tif 000010
【図８】
2018081486.tif 000011
【図９】
2018081486.tif 000012
【図１０】
2018081486.tif 000013
【図１１】
2018081486.tif 000014
【図１２】
2018081486.tif 000015
【図１３】
2018081486.tif 000016
【図１４】
2018081486.tif 000017
【図１５】
2018081486.tif 000018
【図１６】
2018081486.tif 000019
【図１７】
2018081486.tif 000020